(57)【要約】【課題】携帯電話等の携帯情報端末から見逃した放送番組の録画予約を簡単に行い得る、携帯端末による再放送番組録画予約方法、再放送番組録画予約システム及びプログラムの提供。【解決手段】携帯電話１で「再放送番組録画予約」メニューを選択した後、見逃し番組を選択するとサービスセンタ３のサーバはデータベースに登録されている番組表データをサーチして再放送番組があるとその旨のデータを携帯電話１に送信する。ユーザが録画時間の指定及び録画予約操作を行うと、サービスセンタ３のサーバは録画時間が到来すると放送局４から受信してデータベースに記憶してある指定の再放送番組データを取り出してインターネット６を介してユーザの録画装置５１に送信する。録画装置５１は受信した番組データを録画する。【選択図】  図１
2004200881.tif 000002
【特許請求の範囲】
【請求項１】
携帯電話と、ユーザの録画装置と、サービス提供者のサーバとがネットワークを介して接続されるネットワークシステムにおいて、携帯電話を用いてユーザの録画装置に再放送番組を録画させるための再放送番組録画予約方法であって、
携帯電話にネットワークを介して前記サーバから番組表を受信して表示し、
携帯電話上でその番組表から放送済みの所定の番組を指定するとともに録画したい日時を指定すると、
携帯電話から前記指定情報が前記サーバへ送られ、
前記サーバは前記所定の番組の再放送番組をサーチし、
前記サーバは番組提供者から該再放送番組の配信を受けて該再放送番組を録画し、
前記サーバは、前記携帯電話から指定された日時に前記録画した再放送番組を前記ユーザの録画装置へ配信する、
ことを特徴とする再放送番組録画予約方法。
【請求項２】
携帯電話と、ユーザの録画装置と、サービス提供者のサーバとがネットワークを介して接続されるネットワークシステムにおいて、携帯電話を用いてユーザの録画装置に再放送番組を録画させるための再放送番組録画予約システムであって、
携帯電話にネットワークを介して前記サーバから番組表を受信して表示させる手段と、
携帯電話上でその番組表から放送済みの所定の番組を指定するとともに録画したい日時を指定する手段と、
携帯電話から前記指定情報を前記サーバへ送る手段と、
前記サーバが前記携帯電話から送られてきた前記指定情報に基づいて前記所定の番組の再放送番組をサーチする手段と、
前記サーバが番組提供者から該再放送番組の配信を受けて該再放送番組を録画する手段と、
前記サーバが、前記携帯電話から指定された日時に前記録画した再放送番組を
前記ユーザの録画装置へ配信する手段と、
を具備することを特徴とする再放送番組録画予約システム。
【請求項３】
前記ユーザの録画装置は、前記サーバから配信された再放送番組を予約する手段を具備することを特徴とする請求項２記載の再放送番組予約システム。
【請求項４】
ネットワークを介して携帯端末とサービス提供者のサーバが接続されるネットワークシステムにおいて、
前記携帯端末が前記サーバから番組表データを受信するステップと、
前記受信した番組表データを基に過去の放送番組表を表示するステップと、
ユーザの操作に基づき前記表示された過去の放送番組表の中から見逃し番組を指定するステップと、
前記指定結果を前記サーバに送信するステップと、
前記指定結果に基いてサーバから再放送番組の検索結果を受信するステップと、
前記検索結果を表示するステップと、
前記検索結果の表示内容が再放送番組の存在を意味する場合は録画予約指示を行うステップと、
前記録画予約指示に基き、ユーザの録画装置に対し、検索された再放送番組の録画を行わせるための録画予約情報を前記サーバに送信するステップと、
を備えたことを特徴とする携帯端末による再放送番組録画予約方法。
【請求項５】
更に、前記携帯端末は、前記再放送番組をユーザの録画装置に録画させる録画時間の入力を行うステップを含むことを特徴とする請求項４記載の再放送番組録画予約方法。
【請求項６】
ネットワークを介して携帯端末とサービス提供者のサーバが接続されるネットワークシステムにおいて、
前記携帯端末は、
前記サーバから受信した過去の番組表データを基に見逃し番組を指定する見逃し番組指定手段と、
前記見逃し番組指定手段によって指定された番組の番組識別情報を前記サーバに送信する番組識別情報送信手段と、
前記サーバから受信した再放送番組検索結果を表示する再放送番組表示手段と、
前記再放送番組表示手段による前記検索結果の表示内容に基づき再放送番組の録画予約指示を行う録画予約指示手段と、
前記録画予約指示手段によって指示された録画予約指示情報を前記サーバに送信する録画指示送信手段と、を備え、
前記サーバは、番組表データ及び再放送番組データを格納するメモリと、
前記携帯端末から送信される見逃し番組の番組識別情報を基に前記メモリを検索する再放送番組検索手段と、
前記再放送番組検索手段による検索結果を前記見逃し番組の番組識別情報送信元の携帯端末に送信する検索結果送信手段と、
携帯端末から受信する録画予約指示情報を基に前記メモリに格納されている再放送番組データと対応付けた録画予約情報を生成する録画予約生成手段と、
前記録画予約生成手段によって生成された録画予約情報に対応する再放送番組データを前記メモリから取り出す再放送番組データ検索手段と、
前記再放送番組データ検索手段によって取り出された再放送番組データを前記携帯端末のユーザの録画装置に送信する再放送番組データ送信手段と、を備えたことを特徴とする携帯端末による再放送番組録画予約システム。
【請求項７】
前記携帯端末は携帯電話であることを特徴とする請求項６記載の携帯端末による再放送番組録画予約システム。
【請求項８】
ネットワークを介して携帯端末とサービス提供者のサーバが接続されるネットワークシステムにおいて、前記携帯端末で実行可能なプログラムであって、
過去の放送番組表を選択し該選択情報を前記サーバに送信させるステップと、前記サーバから番組表データを受信し該番組表データを基に過去の放送番組表を表示させるステップと、
前記表示させた過去の放送番組表の中からユーザの指定を受けて該指定結果を前記サーバに送信させるステップと、
前記指定結果に基いてサーバから送信される再放送番組の検索結果を受信し表示させるステップと、
前記検索結果が再放送番組の存在を意味する場合に、ユーザに、該ユーザの録画装置に対する再放送番組の録画時間の入力及び録画予約指示操作を促すステップと、
前記ユーザによる録画予約指示操作があったとき、前記録画時間を含む録画予約指示情報を前記サーバに送信させるステップと、
を備えたことを特徴とする再放送番組録画予約プログラム。
【請求項９】
ネットワークを介して携帯端末とサービス提供者のサーバが接続されるネットワークシステムにおいて、前記サーバで実行可能なプログラムであって、
前記携帯端末から送信される過去の放送番組表の選択情報を受信させるステップと、
前記受信させた放送番組表の選択情報を基に番組表データを送信させるステップと、
前記携帯端末から送信される見逃し番組の番組識別情報を受信させるステップと、
前記受信させた番組識別情報に基き、見逃し番組の再放送番組情報を取得するためにメモリに記憶されている番組表データを検索させるステップと、
前記検索結果を前記見逃し番組の番組識別情報送信元の携帯端末に送信させるステップと、
携帯端末から送信される録画予約指示情報を受信させるステップと、
携帯端末から受信した録画予約指示情報を基にメモリに記憶されている各再放送番組データのうちの一つと対応付けた録画予約情報を生成させるステップと、
生成させた複数の録画予約情報を検索し、ユーザの指定した録画時間を有する録画予約情報に対応する再放送番組データを前記メモリから読み出させるステップと、
前記読み出された再放送番組データを前記携帯端末のユーザの録画装置に送信するステップと、を備えたことを特徴とする再放送番組録画予約プログラム。
【発明の詳細な説明】
【０００１】
【発明の属する技術分野】
本発明は、自宅のビデオレコーダ（ＶＴＲ）等の録画装置に携帯電話等の携帯端末から再放送番組の録画を行うための再放送番組録画予約技術に関する。
【０００２】
【従来の技術】
ネットワークを介してテレビ番組を予約し、予約した録画番組をネットワークを介して入手するテレビ番組予約サービス技術がある（例えば、特許文献１）。
【０００３】
また、ユーザが場所の制約なしに所望のテレビ番組の録画、再生及び配信を可能とするテレビ放送番組配信技術が提案されている（例えば、特許文献２）。
【０００４】
更に、見逃した番組を視聴者の過去の視聴傾向から推測して当該使用者にその旨をメールや画面表示で知らせると共に、見逃した番組の再放送予定を知らせる放送サービス案内（例えば、特許文献３、特許文献４）がある。
【０００５】
また、受信した番組の映像と、過去に受信し、記憶した映像とを比較し、連続番組や再放送番組を自動検索し、ユーザに通知して連続番組や再放送番組の見逃しを防止する受信装置（例えば、特許文献５）がある。
【０００６】
【特許文献１】
特開２００２−１３５６９９号公報
【特許文献２】
特開２００２−１８５９００号公報
【特許文献３】
特開平１１−８８２８０号公報
【特許文献４】
特開２００１−７７７７１号公報
【特許文献５】
特開２００１−１８６４３２号公報
【０００７】
【発明が解決しようとする課題】
特許文献１及び特許文献２に開示の技術を組み合わせて、ネットワークを介してテレビ番組を予約し、予約した録画番組をネットワークを介して入手したり、所望のテレビ番組の録画、再生及び配信サービスを行うことができる。このようなサービスを携帯電話を利用してできるようにすれば便利であるが、この場合、携帯電話で番組を指定して予約を行う必要がある。
【０００８】
しかしながら、近年ＢＳ、ＣＳ放送やケーブルテレビ放送など、数多くの放送番組が放送されるようになり、番組によっては違うチャンネルを使って再放送や同時放送などを行っているので、再放送や同時放送の放送時間やチャンネル等の情報を新聞や雑誌等から得ようとしたとき、掲載面が異なっていたり放送日が異なっていたりすると見逃してしまう場合があった。また、見たい番組の再放送があること自体わからない場合があるとか、一度見た番組でもタイトルを見ただけでは見たかどうかの判断がしにくいといった問題点があった。
【０００９】
ここで、上記特許文献３、４に開示の技術では、視聴者が過去に視聴した番組から推測して見逃した番組の再放送予定をメールや画面表示で知らせることができるが、新番組や過去には視聴しなかったが見たかった番組の再放送番組を知らせることはできないといった問題点があり、更に、番組変更や、番組の再放送日時やチャンネルを見やすく編集した番組表については開示されていない。
【００１０】
また、特許文献５に開示の技術では受信した番組と、記憶した映像とを比較し、連続番組や再放送番組を自動検索することはできるが、新番組や過去には視聴しなかったが見たかった番組の連続番組や再放送番組を検索することができないので見逃し番組が生ずるといった問題点があり、更に、番組変更や、番組の再放送日時やチャンネルを見やすく編集した番組表については開示されていないし、見逃した番組の再放送番組の自動録画技術についても開示されておらず、上記問題点は解消されていない。
【００１１】
従って、上記特許文献１、２に開示の技術と上記特許文献３、４又は５に開示の技術とを組み合わせて、ネットワークを介してテレビ番組を予約し、予約した録画番組をネットワークを介して入手したり、所望のテレビ番組の録画、再生及び配信サービスを行うとしても、再放送番組の画像配信等を要求する場合、ユーザはメールや画面に表示される放送番組表を見てから見逃した番組（以下、見逃し番組）の再放送番組を自分で探し出して携帯電話から指示を行う必要があるので煩わしいといった問題点や、見落としが生ずるといった問題点があった。
【００１２】
本発明は、上記課題の解決のためになされたものであり、携帯電話等の携帯情報端末から見逃した放送番組の録画予約を簡単に行い得る、携帯端末による再放送番組録画予約方法、再放送番組録画予約システム及びプログラムの提供を目的とする。
【００１３】
【課題を解決するための手段】
上記課題を解決するために、第１の発明の再放送番組録画予約方法は、携帯電話と、ユーザの録画装置と、サービス提供者のサーバとがネットワークを介して接続されるネットワークシステムにおいて、携帯電話を用いてユーザの録画装置に再放送番組を録画させるための再放送番組録画予約方法であって、携帯電話にネットワークを介してサーバから番組表を受信して表示し、携帯電話上でその番組表から放送済みの所定の番組を指定するとともに録画したい日時を指定すると、携帯電話から指定情報がサーバへ送られ、サーバは所定の番組の再放送番組をサーチし、サーバは番組提供者から該再放送番組の配信を受けて該再放送番組を録画し、サーバは、携帯電話から指定された日時に録画した再放送番組をユーザの録画装置へ配信する、ことを特徴とする。
【００１４】
また、第２の発明の再放送番組録画予約システムは、携帯電話と、ユーザの録画装置と、サービス提供者のサーバとがネットワークを介して接続されるネットワークシステムにおいて、携帯電話を用いてユーザの録画装置に再放送番組を録画させるための再放送番組録画予約システムであって、携帯電話にネットワークを介してサーバから番組表を受信して表示させる手段と、携帯電話上でその番組表から放送済みの所定の番組を指定するとともに録画したい日時を指定する手段と、携帯電話から指定情報をサーバへ送る手段と、サーバが携帯電話から送られてきた指定情報に基づいて所定の番組の再放送番組をサーチする手段と、サーバが番組提供者から該再放送番組の配信を受けて該再放送番組を録画する手段と、サーバが、携帯電話から指定された日時に録画した再放送番組をユーザの録画装置へ配信する手段と、を具備することを特徴とする。
【００１５】
また、第３の発明は上記第２の発明の再放送番組録画予約システムにおいて、ユーザの録画装置は、サーバから配信された再放送番組を予約する手段を具備することを特徴とする。
【００１６】
第４の発明の再放送番組録画予約方法は、ネットワークを介して携帯端末とサービス提供者のサーバが接続されるネットワークシステムにおいて、携帯端末がサーバから番組表データを受信するステップと、受信した番組表データを基に過去の放送番組表を表示するステップと、ユーザの操作に基づき表示された過去の放送番組表の中から見逃し番組を指定するステップと、指定結果をサーバに送信するステップと、指定結果に基いてサーバから再放送番組の検索結果を受信するステップと、検索結果を表示するステップと、検索結果の表示内容が再放送番組の存在を意味する場合は録画予約指示を行うステップと、録画予約指示に基き、ユーザの録画装置に対し、検索された再放送番組の録画を行わせるための録画予約情報をサーバに送信するステップと、を備えたことを特徴とする。
【００１７】
また、第５の発明は上記第４の発明の再放送番組録画予約方法において、更に、携帯端末は、再放送番組をユーザの録画装置に録画させる録画時間の入力を行うステップを含むことを特徴とする。
【００１８】
また、第６の発明の再放送番組録画予約システムは、ネットワークを介して携帯端末とサービス提供者のサーバが接続されるネットワークシステムにおいて、携帯端末は、サーバから受信した過去の番組表データを基に見逃し番組を指定する見逃し番組指定手段と、見逃し番組指定手段によって指定された番組の番組識別情報をサーバに送信する番組識別情報送信手段と、サーバから受信した再放送番組検索結果を表示する再放送番組表示手段と、再放送番組表示手段による検索結果の表示内容に基づき再放送番組の録画予約指示を行う録画予約指示手段と、録画予約指示手段によって指示された録画予約指示情報をサーバに送信する録画指示送信手段と、を備え、サーバは、番組表データ及び再放送番組データを格納するメモリと、携帯端末から送信される見逃し番組の番組識別情報を基にメモリを検索する再放送番組検索手段と、再放送番組検索手段による検索結果を見逃し番組の番組識別情報送信元の携帯端末に送信する検索結果送信手段と、携帯端末から受信する録画予約指示情報を基にメモリに格納されている再放送番組データと対応付けた録画予約情報を生成する録画予約生成手段と、録画予約生成手段によって生成された録画予約情報に対応する再放送番組データをメモリから取り出す再放送番組データ検索手段と、再放送番組データ検索手段によって取り出された再放送番組データを携帯端末のユーザの録画装置に送信する再放送番組データ送信手段と、を備えたことを特徴とする。
【００１９】
また、第７の発明は上記第６の発明の再放送番組録画予約システムにおいて、携帯端末は携帯電話であることを特徴とする。
【００２０】
また、第８の発明の再放送番組録画予約プログラムは、ネットワークを介して携帯端末とサービス提供者のサーバが接続されるネットワークシステムにおいて、携帯端末で実行可能なプログラムであって、過去の放送番組表を選択し該選択情報をサーバに送信させるステップと、サーバから番組表データを受信し該番組表データを基に過去の放送番組表を表示させるステップと、表示させた過去の放送番組表の中からユーザの指定を受けて該指定結果をサーバに送信させるステップと、指定結果に基いてサーバから送信される再放送番組の検索結果を受信し表示させるステップと、検索結果が再放送番組の存在を意味する場合に、ユーザに、該ユーザの録画装置に対する再放送番組の録画時間の入力及び録画予約指示操作を促すステップと、ユーザによる録画予約指示操作があったとき、録画時間を含む録画予約指示情報をサーバに送信させるステップと、を備えたことを特徴とする。
【００２１】
また、第９の発明の再放送番組録画予約プログラムは、ネットワークを介して携帯端末とサービス提供者のサーバが接続されるネットワークシステムにおいて、サーバで実行可能なプログラムであって、携帯端末から送信される過去の放送番組表の選択情報を受信させるステップと、受信させた放送番組表の選択情報を基に番組表データを送信させるステップと、携帯端末から送信される見逃し番組の番組識別情報を受信させるステップと、受信させた番組識別情報に基き、見逃し番組の再放送番組情報を取得するためにメモリに記憶されている番組表データを検索させるステップと、検索結果を見逃し番組の番組識別情報送信元の携帯端末に送信させるステップと、携帯端末から送信される録画予約指示情報を受信させるステップと、携帯端末から受信した録画予約指示情報を基にメモリに記憶されている各再放送番組データのうちの一つと対応付けた録画予約情報を生成させるステップと、生成させた複数の録画予約情報を検索し、ユーザの指定した録画時間を有する録画予約情報に対応する再放送番組データをメモリから読み出させるステップと、読み出された再放送番組データを携帯端末のユーザの録画装置に送信するステップと、を備えたことを特徴とする。
【００２２】
【発明の実施の形態】
図１は本発明の再放送番組録画予約システムを適用可能なネットワーク構成の一実施例を示す図であり、再放送番組録画予約システム１００は登録ユーザの携帯端末１（実施例では携帯電話、以下、携帯電話１として説明するがこれに限定されない）と、携帯電話１とネットワーク６（実施例ではインターネット、以下、インターネット６として説明するがこれに限定されない）との間でデータの授受を仲介する通信事業者側装置２と、個人別放送番組表サービス及び番組配信サービス等のサービスを行うサービス事業者によって運営されるサービスセンタ３と、テレビ放送局４（複数）と、録画装置５１等を備えた登録ユーザの家庭５と、携帯電話１、通信事業者側装置２、サービスセンタ３及び家庭５の録画装置５１と接続するネットワーク６とからなる。
通信事業者側装置２は基地局２１と移動通信制御局２２からなる。
なお、サービス事業者は、複数のテレビ放送局４から各チャンネル別の番組表データを得てサービスセンタ３の番組表データベース３２（図５）に定期的又は随時登録する。
【００２３】
登録ユーザは携帯電話１を起動して携帯電話１とサービスセンタ３の番組表サービスサーバ３１（図５）を通信事業者側装置２及びインターネット６を介して接続し、ユーザが接続直後に表示される選択メニュー（図４（ａ））のうち、「３．再放送番組録画予約」メニューを選択した後、見逃し番組が放送された日付及びチャンネルを選択する。次に、携帯電話１に表示される指定日付、指定チャンネルの過去番組のうち見逃し番組を指定すると、携帯電話（再放送番組指定要求元の携帯電話）１は指定された見逃し番組の識別情報を通信事業者側装置２及びインターネット６を介して番組表サービスサーバ３１に送信する。この指定の仕方は一例であって、ダイレクトの番組名を指定するようにしても良い。
【００２４】
番組表サービスサーバ３１は携帯電話１から見逃し番組の識別情報を受信すると番組表データベース３２に登録されている番組表データをサーチし、再放送番組があるとその番組情報を再放送番組録画要求元の携帯電話１に送信する。
再放送番組の検索方法としては、テレビ放送局の番組データベース若しくはテレビ放送局から提供を受けた番組データベースを検索する方法もあるし、番組情報自体に再放送日時情報が付加されていても良い。ケーブルテレビなど１つの番組を何度も繰り返し放送する場合は、番組名と放送日時の対照表が用意してあることが多い。
【００２５】
再放送番組録画要求元の携帯電話１は受信した再放送番組情報を表示し、ユーザが録画予約操作及び録画時間指定操作を行うと録画予約情報をサービスセンタ３の番組表サービスサーバ３１（図５）に渡す。
【００２６】
番組配信サーバ３６は放送時刻が到来すると予約チャンネルのテレビ放送局４から放送される再放送番組の放送信号を受信して復調し、番組データ（デジタル信号）に変換して配信番組データベース３７（図５）に記憶する。
【００２７】
また、番組配信サーバ３６は再放送番組録画要求元の携帯電話１のユーザが指定した録画時間が到来すると配信番組データベース３７から当該ユーザが予約した番組データを取り出し、インターネット６を介してそのユーザの家庭５にある録画装置５１に送信する。再放送番組予約要求元の携帯電話１のユーザの録画装置５１は番組配信サーバ３６から送信された番組データを受信して音声信号及び映像信号を取り出し、内蔵又は装着された記録媒体に記録（＝録画）する。
【００２８】
また、サービス事業者は、登録ユーザの番組表サービス及び／又は番組配信サービスの利用頻度に応じて課金することができる。なお、ユーザに対する番組情報の提供とテレビ放送局（放送事業者）４への視聴データの提供の見返りにテレビ放送局４から収入を得ることもできる。この場合、ユーザに対する課金を行わないようにしてもよい。ユーザに対して課金を行う場合は、サーバ３１はユーザ別に利用状況をカウントして番組表データベース３２の課金ファイル３２２に蓄積し、定期的に請求額の計算等を可能とするように構成する。
【００２９】
図２は携帯電話１の構成例を示すブロック図であり、図３は携帯電話１の正面外観図である。
携帯電話１はアンテナ１１と、アンテナ１１で受信した信号を復調及び増幅して音声入出力部１３に送出すると共に、音声入出力部１３から受け取った信号を変調して増幅しアンテナ１１を介して空中線に送出する送受信部１２と、送受信部１２から受け取った信号を音声に変換して増幅し外部に出力すると共に、外部から入力された音声を信号に変換して送受信部１２に送出する音声入出力部１３と、電話番号や文字等を入力するキー入力部１４と、メニューや放送番組表等を表示する表示部１５と、ＣＰＵ１６と、メモリ１７からなる。
【００３０】
なお、図３で符号１４１は図４に示す「戻る」に対応する機能ボタン、符号１４２はカーソル操作部であり、矢印方向の部分を押し下げることによりカーソルを矢印方向（上・下・左・右）に移動させることができる。また、符号１４３は確定ボタンであり、見逃し番組の再放送番組の録画「予約」ボタン４４２に対応する操作ボタンを兼ねている。
【００３１】
図４は携帯電話１での画面表示の一実施例を示す図であり、図４（ａ）はメニュー選択画面、図４（ｂ）は過去の放送番組表の日付等選択画面、図４（ｃ）は過去の見逃し番組の指定画面、図４（ｄ）は指定した見逃し番組の再放送番組があった場合に表示されるメッセージの一例、図４（ｄ’）は指定した見逃し番組の再放送番組がなかった場合に表示されるメッセージの一例を示す。
【００３２】
ユーザが携帯電話１を起動すると、図４（ａ）に示すようなメニュー選択画面４１が表示される。ユーザが「３．再放送番組録画予約」メニューを選択すると今日の日付けを１０月８日（火曜）とした場合、図４（ｂ）に示すような過去の放送番組表選択画面４２が表示され、放送番組表の日付選択欄４２１に一週間分（１０月７日（月曜）〜１０月１日（火曜））の日付が表示される。ユーザが携帯電話１のカーソル操作部１４２を操作して所望の日付（図示の例では１０月７日）を選択し、確定ボタン１４３（図３）を操作すると、カーソルがチャンネル選択欄４２２に移動する。
【００３３】
ユーザが、所望のチャンネルを選択すると、図４（ｃ）に示すように指定したチャンネルの過去の放送番組表（図示の例では１０月７日の４チャンネルの放送番組表４３）が表示されるので、ユーザはカーソル操作部１４２の↑↓方向を操作してカーソルを上下させて見逃し番組（この例では「特集番組１」）を選択し、確定ボタン１４３を操作する。なお、表示された過去の放送番組表に見逃し番組がない場合には「戻る」ボタンに対応する機能ボタン１４１（図３）を操作すると過去の放送番組表選択画面４２（図４（ｂ））に戻る。また、表示部１５に表示された放送番組表はスクロール可能であり、カーソル操作部１４２の↑↓方向の操作により、画面に現れていない部分の番組を表示することができる。
【００３４】
そして、ユーザが指定した見逃し番組の再放送番組がある場合は、図４（ｄ）に示すようなメッセージ及び再放送番組の放送予定日及びチャンネルが表示されると共に、ユーザの録画装置に再放送番組を録画するための時間の入力を促す録画時間入力欄４４１を表示する。
【００３５】
ユーザがその再放送番組の録画予約を行う場合は、録画時間入力欄４４１に録画時間を入力してから「予約」ボタン４４２に対応する確定ボタン１４３（図３）を操作するか、録画時間を指定せずに単に「予約」ボタン４４２に対応する確定ボタン１４３（図３）を操作する。また、録画予約をしない場合は「戻る」ボタンに対応する機能ボタン１４１を操作すると図４（ｃ）の放送番組表表示画面４３に戻る。
【００３６】
また、見逃し番組の再放送番組がない場合は図４（ｄ’）に示すようなメッセージが表示され、ユーザが「戻る」ボタンに対応する機能ボタン１４１を操作すると図４（ｃ）の放送番組表表示画面４３に戻る。
なお、上記図４（ｂ）、（ｃ）に示した例では過去一週間分の放送番組表を表示可能としたが、過去一週間に限定されない。また、上記図４（ｂ）でチャンネル選択欄４２２を設けず、図４（ｃ）でチャンネル選択・指定欄を設けるようにし、ユーザがチャンネルを選択し、確定操作を行うと当該チャンネルの放送番組表が表示されるように構成してもよい。この場合のチャンネル選択・指定欄としてユーザのカーソル操作により自動的にチャンネルが順次表示され、所望のチャンネルが表示されたときに確定操作を行うとそのチャンネルが選択、指定されるようにしてもよい。
【００３７】
図５はサービスセンタ３に備えられている装置の一実施例の構成を示す図であり、サービスセンタ３には番組表データベース３２を備えた番組表サービスサーバ３１と配信番組データベース３７を備えた番組配信サーバ３６が備えられている。また、番組表サービスサーバ３１と番組配信サーバ３６はバスＢで接続している。
また、図６はサーバに保持される再放送番組レコードの一実施例を示す図であり、図７はサーバに保持される録画予約レコードの一実施例を示す図である。
【００３８】
図５で、番組表サービスサーバ３１は定期的に（例えば、一週間毎）番組表データベース３２に格納している番組表データ３２３をサーチして各再放送番組毎に、番組識別情報７１、放送時間７２及びチャンネル情報７３からなる再放送番組レコード７０（図６）を生成して番組配信サーバ３６に渡す。
【００３９】
番組表サービスサーバ３１は、インターネット６及び通信事業者側装置２を介してユーザの携帯電話１とデータを授受する。携帯電話１と番組表サービスサーバ３１の接続が確立し、携帯電話１からユーザが「３．再放送番組録画予約」メニューを選択した旨のメニュー選択情報を受信すると、後述する端末側再放送番組録画予約用プログラム（図９参照）を情報送信元の携帯電話１にアップロードする。
【００４０】
また、番組表サービスサーバ３１は携帯電話１から過去の放送番組表選択情報を受信すると後述するサーバ側再放送番組録画予約用プログラム（図９参照）により、所定期間分（実施例では一週間）の過去の見逃し番組表データを情報送信元の携帯電話１に送信する。次に、見逃し番組指定情報を受信すると、番組表データベース３２を検索して見逃し番組に対応する再放送番組があるか否かを調べ、検索結果に対応するメッセージデータを情報送信元の携帯電話１に送信し、携帯電話１から予約確定情報（ユーザが指定した録画装置５１への録画時間を含む）を受信すると当該ユーザの録画装置５１のアドレス情報と、当該ユーザが指定した再放送番組の識別情報と、放送時間及びチャンネル番号と、ユーザが指定した録画時間（ユーザが録画時間を指定しなかった場合は、例えば、再放送番組の放送時間）とを番組配信サーバ３６に渡す。
【００４１】
番組配信サーバ３６は、番組表サービスサーバ３１から受け取った再放送番組レコード７０をＲＡＭ（図示せず）の再放送番組レコード記憶領域に上書きして保持（一時記憶）し、内蔵する時計からの時刻情報とＲＡＭに保持されている複数の録画予約レコードの中の放送時間７２とを比較し、放送時間が到来した録画予約レコードのチャンネル番号を取り出してその放送番組の放送信号を受信して復調し、番組データ（デジタル信号）ファイルとして番組識別情報７１と対応付けて配信番組データベース３７に記憶する。なお、この際、放送時間が終了した番組データファイルのうち所定期間を経過したものは削除され、新たな番組データファイルが記憶される。
【００４２】
また、番組配信サーバ３６は、番組表サービスサーバ３１から随時受け取る録画予約番組の識別情報８１及び録画時間８２、録画装置５１のアドレス情報８３及び番組データファイルとのポインタ格納欄８４からなる録画予約レコード８０（図７）を内蔵するＲＡＭの録画予約レコード記憶領域に保持（一時記憶）すると共に、配信番組データベース３７に記憶されている録画予約番組の識別情報をサーチし、識別情報が一致した場合には番組データファイルのアドレス情報を当該識別情報を記憶している録画予約レコードのポインタ格納欄８４に記憶する。
【００４３】
また、番組配信サーバ３６は内蔵している時計からの時刻情報とＲＡＭに保持されている複数の録画予約レコードの中の録画時間とを比較し、録画時間が到来した録画予約レコード中のポインタ格納欄８４に記憶されている番組データファイルのアドレスを基に配信番組データベース３７から録画データを取り出し、該録画予約レコード中の録画装置５１のアドレス情報を基にインターネット６を介してユーザの録画装置５１に送信する。なお、番組データファイルを録画装置５１に送信した後、当該番組データファイルを送信するために用いた録画予約レコードはＲＡＭから消去される。
【００４４】
番組表データベース３２は図５（ｂ）に示すように、ユーザの氏名、携帯電話番号（若しくはメールアドレス）、録画装置のアドレス等、登録ユーザの個人情報を含むレコードを複数記憶した個人情報ファイル３２１と、課金を行う場合にユーザ別にカウント数や明細等を蓄積する課金ファイル３２２と、チャンネル別、日付別に編集された番組表データ３２３と、過去（実施例では一週間分）の番組表データ３２４とを有している。なお、本実施例では番組表データ３２３と過去の番組表データ３２４とを別のファイルとしたが同一ファイルでもよい。
また、配信番組データベース３７は図５（ｃ）に示すように、放送局４から受信した再放送番組データからなる複数の番組データファイル３７−１、３７−２、３７−３、・・・を記録している。
【００４５】
なお、上記図５の説明ではサービスセンタ３は番組表サービスサーバ３１と番組配信サーバ３６を備えているとしたが、番組表サービスサーバ３１と番組配信サーバ３６を一つのサーバとしてもよい。この場合、サーバは番組表データベース３２と配信番組データベース３７の二つを備えるようにしてもよく、番組表データベース３２と配信番組データベース３７を一つのデータベースで兼用するようにしてもよい。
【００４６】
図８は再放送番組録画予約サービスにより再放送番組の録画予約を行う録画装置５１の構成例を示すブロック図である。
録画装置５１はインターネット６等の通信回線に公衆電話網（図示略）等を介して接続しており、番組配信サーバ３６からユーザの指定した録画時間に再放送番組データを受信し、録画装置５１に内蔵又は装着されている記録媒体に録画する。
【００４７】
図８において、録画装置５１はインターネット６を介して番組配信サーバ３６との通信接続及びデータの授受を行う通信処理部５１１と、通信処理部を介して受信した放送信号をデコード処理して音声信号を得る音声処理部５１２と、通信処理部５１１で受信した放送信号をデコード処理して映像信号を得る映像処理部５１３と、音声処理部５１２及び映像処理部５１３で得た放送信号（＝音声信号＋映像信号）を記録する記録部５１４と、音声処理部５１２で得た音声信号を増幅して出力する音声出力部５１５と、映像処理部５１３で得た映像信号を出力する映像出力部５１６と、録画装置全体の動作を制御するＣＰＵ５１７とを備えている。
【００４８】
上記構成からなる録画装置５１は、番組配信サーバ３６からインターネット６を介して番組データを受信すると音声処理部５１２及び映像処理部５１３で音声信号及び映像信号を得て、記録部５１４に装着されている記録媒体に記録（＝録画）する。つまり、ユーザが携帯電話１で見逃し番組を指定し、その再放送番組があればユーザの家庭内にある録画装置５１にユーザが指定した時間にその番組を録画させることができる。録画装置５１と同様の構成はパーソナルコンピュータでも実現することができる。音声処理や映像処理は専用のハードウエアを用いても良いしソフトウエアでも実現することができる。画像の処理方式としてはMＰＥＧ等が知られている。
なお、実施例では録画装置の設置場所を「家庭」としたが設置場所は家庭に限定されない、例えば、事務所等でもよい。
【００４９】
図９は再放送番組録画予約サービス時の携帯電話１及びサービスセンタ３のサーバ３１、３６の動作例を示すフローチャートであり、図９（ａ）は携帯電話側の動作例を示し、図９（ｂ）はサービスセンタ３のサーバの動作を示す。また、図９（ａ）のステップＳ５〜Ｓ１４は端末側再放送番組録画予約用プログラムによる携帯電話１の動作に相当し、図９（ｂ）のステップＴ１〜Ｔ８の動作はサーバ側再放送番組録画予約用プログラムによるサービスセンタ３のサーバの動作に相当する。
【００５０】
（携帯電話側の動作；図９（ａ））
携帯電話１と番組表サービスサーバ３１の接続が確立すると、携帯電話１の表示部１５に図４（ａ）に示すような選択メニュー４１が表示される（ステップＳ１）。
ユーザが選択メニュー４１の中の「３．再放送番組録画予約」メニューを選択するとステップＳ３に進む。また、「３．再放送番組録画予約」メニュー以外のメニューを選択した場合は選択されたメニューに対応する処理に進む（ステップＳ２）。
【００５１】
上記ステップＳ２で「３．再放送番組録画予約」メニューが選択されると、ＣＰＵ１６は送受信部１２及びアンテナ１１を介してユーザが「３．再放送番組録画予約」メニューを選択した旨のメニュー選択情報を番組表サービスサーバ３１に送信する（ステップＳ３）。
【００５２】
メニュー選択情報送信後に番組表サービスサーバ３１から端末側再放送番組録画予約用プログラムがアップロードされるので、携帯電話１はそれを受信してメモリ１７にダウンロードする。なお、端末側再放送番組録画予約用プログラムは携帯電話１に予め内蔵されていてもよい。この場合は当ステップは省略される（ステップＳ４）。
【００５３】
次に、ＣＰＵ１６はダウンロードした端末側再放送番組録画予約用プログラムに従って図４（ｂ）に示すような過去の放送番組表選択画面４２を表示部１５に表示し、見逃し番組が放送された日付及びチャンネルの選択を促す。例えば、今日の日付けを１０月８日（火曜）とした場合、放送番組表の日付選択欄４２１に過去一週間（１０月７日（月曜）〜１０月１日（火曜））の日付を表示すると共に、チャンネル選択欄４２２に放送チャンネルを表示して見逃し番組が放送された日付及びチャンネルの選択を促す（ステップＳ５）。
【００５４】
ユーザが、日付及びチャンネル（図４の例では１０月７日、４チャンネル）を選択して確定操作を行うと、ＣＰＵ１６は送受信部１２及びアンテナ１１を介してユーザの選択結果（日付及びチャンネル番号を含む過去の放送番組表選択情報）を番組表サービスサーバ３１宛て送信する（ステップＳ６）。
【００５５】
次に、放送番組表選択情報送信後に番組表サービスサーバ３１から送信されてくる過去の番組表データ（この例では一週間分）を受信すると、ＣＰＵ１６は受信した見逃し番組の番組表データを基に図４（ｃ）に示すようにユーザが選択・指定した放送番組表（図示の例では１０月７日の４チャンネルの放送番組表４３）を表示して、見逃し番組の指定を促す（ステップＳ７）。
【００５６】
見逃し番組の指定は複数可能であり、見逃し番組の指定後、確定操作を行うとステップＳ９に進む。また、表示された過去の放送番組表に見逃し番組がない場合には「戻る」操作を行うとステップＳ５に戻る（ステップＳ８）。
【００５７】
上記ステップＳ８で見逃し番組が指定されると、ＣＰＵ１６は送受信部１２及びアンテナ１１を介してユーザが指定した見逃し番組の識別情報（複数の場合あり）を番組表サービスサーバ３１宛て送信する（ステップＳ９）。
【００５８】
次に、指定された番組の識別情報送信後に番組表サービスサーバ３１から送信されてくる再放送番組検索結果（複数の場合あり）を受信すると、ＣＰＵ１６は受信した検索結果を調べ、再放送番組がある場合はステップＳ１１に進み、ない場合はステップＳ１４に進む（ステップＳ１０）。
【００５９】
見逃し番組の再放送番組がある場合には、ＣＰＵ１６は図４（ｄ）に示したように再放送番組の放送日時等を含むメッセージ画面４４を表示してユーザに再放送番組の録画予約の可否確認を促す。なお、上記ステップＳ８で見逃し番組を複数指定し、上記ステップＳ１０で番組表サービスサーバ３１から受信した再放送番組検索結果に複数の再放送番組が存在する旨の情報が含まれている場合には、ＣＰＵ１６は各再放送番組の放送日時等を一覧可能にしたメッセージ画面（図示せず）を表示し、ユーザにそれぞれの番組の録画時間の入力及び録画予約操作を促す（ステップＳ１１）。
【００６０】
ユーザがキー入力部１４のキーを操作して録画時間を指定して録画予約操作（「予約」ボタン４４２に対応する確定ボタン１４３の押し下げ操作）を行うか、録画時間の指定なしに単に録画予約操作を行うとステップＳ１３に進む。また、録画予約操作をしない場合は「戻り」操作を行うとステップＳ７に戻る。また、複数の再放送番組を一覧表示した場合には、ユーザは各再放送番組毎に予約確認ができる（ステップＳ１２）。
【００６１】
ユーザが録画予約操作を行うとＣＰＵ１６は送受信部１２及びアンテナ１１を介して録画予約された再放送番組情報（番組識別情報、放送時間、チャンネル）、指定された録画時間（ユーザが録画時間を指定しなかった場合は、例えば、再放送番組の放送時間）及びユーザ識別情報（例えば、携帯電話番号）を含む録画予約情報をインターネット６を介して番組表サービスサーバ３１宛て送信し、ステップＳ７に戻る（ステップＳ１３）。
【００６２】
また、再放送番組がない場合には、ＣＰＵ１６は図４（ｄ’）に示したように再放送番組がない旨のメッセージ画面４４を表示してユーザに「戻り」操作を促し、「戻り」操作が行われるとステップＳ７に戻る（ステップＳ１４）。
【００６３】
なお、上記図９のステップＳ５では過去一週間分の放送番組表を表示するとしたが、選択可能な放送番組表は過去一週間に限定されない。また、前述したように図４（ｂ）でチャンネル選択欄４２２を設けず、図４（ｃ）でチャンネル選択・指定欄を設けるようにし、ユーザがチャンネルを選択し、確定操作を行うと当該チャンネルの放送番組表が表示されるように構成した場合は、上記ステップＳ５を過去の放送番組表を選択するための日付を表示し（チャンネルは表示しない）、見逃し番組が放送された日付の選択を促すように構成し、ステップＳ６を選択した日付を含む過去の放送番組表選択情報を番組表サービスサーバ３１宛て送信するように構成する。
【００６４】
また、上記ステップＳ１３では携帯電話１は録画予約された再放送番組情報を含む録画予約情報をインターネット６を介して番組表サービスサーバ３１宛て送信するように構成したが、録画予約情報をインターネット６を介して番組配信サーバ３６宛て送信するように構成してもよい。
【００６５】
（サーバ側の動作；図９（ｂ））
番組表サービスサーバ３１は携帯電話１からユーザが「３．再放送番組録画予約」メニューを選択した旨のメニュー選択情報を受信すると、端末側再放送番組録画予約用プログラムを情報送信元の携帯電話１にアップロードする（ステップＴ１）。
【００６６】
次に、番組表サービスサーバ３１は携帯電話１から過去の放送番組表選択情報を受信すると、番組表データベース３２に格納されている過去の番組表データ３２４の中から指定された日付でかつ指定されたチャンネルの所定期間分（実施例では一週間分）の過去の見逃し番組表データを情報送信元の携帯電話１に送信する（ステップＴ２）。
【００６７】
次に、見逃し番組指定情報を受信すると、上記ステップＴ３で受信した見逃し番組指定情報を基に見逃し番組の放送日時以降の日時の番組について見逃し番組のタイトル等をキーとして番組表データベース３２の番組表データ３２３をサーチし、再放送表示がある番組があった場合は再放送番組ありとし、そうでない場合は再放送番組なしとして（ステップＴ３）、検索結果を見逃し番組の情報送信元の携帯電話１に送信する（ステップＴ４）。
【００６８】
番組表サービスサーバ３１は、携帯電話１から録画予約情報を受信すると、受信した録画予約情報のなかのユーザ識別情報（例えば、携帯電話番号）をキーとしてデータベース３２の個人情報ファイル３２１をサーチして当該ユーザの録画装置５１のアドレス情報を取り出し、そのアドレス情報と、当該ユーザが指定した再放送番組の識別情報、放送時間、チャンネル番号及び録画時間とを番組配信サーバ３６に渡す（ステップＴ５）。
【００６９】
番組配信サーバ３６は、番組表サービスサーバ３１から受け取る録画予約番組の識別情報８１及び録画時間８２、録画装置５１のアドレス情報８３及び番組データファイルとのポインタ格納欄８４からなる録画予約レコード８０を生成してＲＡＭの録画予約レコード記憶領域に保持（一時記憶）すると共に配信番組データベース３７に記憶されている録画予約番組の識別情報をサーチし、識別情報が一致した場合には番組データファイルのアドレス情報を当該識別情報を記憶している録画予約レコードのポインタ格納欄８４に記憶する（ステップＴ６）。
【００７０】
また、番組配信サーバ３６は内蔵している時計からの時刻情報とＲＡＭに保持されている複数の録画予約レコードの中の録画時間とを比較し、録画時間が到来した録画予約レコード中のポインタ格納欄８４に記憶されている番組データファイルのアドレスを基に配信番組データベース３７から録画データを取り出し（ステップＴ７）、該録画予約レコード中の録画装置５１のアドレス情報を基にインターネット６を介してユーザの録画装置５１に送信する。なお、この番組配信ルートはインターネット網に限らずＣＡＴＶ、無線、衛星放送等でもよい（ステップＴ８）。
【００７１】
しかして、ユーザの録画装置５１では配信されてきた再放送番組を録画することができる。このユーザ録画装置５１は前述したが単なるビデオテープレコーダーでも良いし、インターネット若しくは電話回線経由で遠隔制御されるコンピュータでも良い。
【００７２】
上記図９（ａ）、（ｂ）に示した構成により、ユーザは新聞や雑誌の放送番組欄やメールや画面表示により再放送番組を探さなくても、携帯電話１で見逃し番組を指定するだけで再放送番組の有無を知ることができ、再放送番組がある場合は携帯電話１からの録画予約指示によりユーザの指定した時間にユーザの録画装置に再放送番組を録画させることができる。
以上、本発明の一実施例について説明したが本発明は上記実施例に限定されるものではなく、種々の変形実施が可能であることはいうまでもない。
【００７３】
【発明の効果】
上記説明したように、第１の発明の再放送番組録画予約方法、第２、第３及び第７の発明の再放送番組録画予約システムによれば、ユーザは新聞や雑誌の放送番組欄やメールや画面表示により再放送番組を探さなくても、携帯電話に表示される見逃し番組を指定するだけで録画予約を行ない、サーバからユーザの録画装置に番組データを送信することができるので、従来のように録画する再放送番組を探す手間がかからない。また、普及の著しい携帯電話を用いているので、多くのユーザが簡単に本発明の再放送番組録画予約システムを利用することができる。
【００７４】
また、第４の発明の再放送番組録画予約方法、第６の発明の再放送番組録画予約システム及び第８の発明の放送再番組録画予約プログラムにおいても、ユーザは新聞や雑誌の放送番組欄やメールや画面表示により再放送番組を探さなくても、携帯電話に表示される見逃し番組を指定するだけで録画予約を行ない、サーバからユーザの録画装置に番組データを送信することができるので、従来のように録画する再放送番組を探す手間がかからない。
【００７５】
また、第５の発明の再放送番組録画予約方法、第８の発明の放送再番組録画予約プログラムによれば、再放送番組をユーザの録画装置に録画する録画時間をユーザが指定できるので、録画装置に同じ時間に他の番組の録画予約をしていた場合でも録画のバッテングが生じない。
【００７６】
また、第９の発明の再放送番組録画予約プログラムによれば、サーバは指定された見逃し番組情報を受信して対応する再放送番組を検索し、検索結果を送信して録画予約指示があった場合に、指定された録画時間が到来するとメモリに記憶されている再放送番組データを取り出して当該携帯端末のユーザの録画装置に送信するので、ステップが少なくて簡単であり、サービスセンタのサーバの負荷は少なくて済む。従って、本発明の再放送番組録画予約サービスをいわゆる放送番組表サービスと兼ねて行うようにしても番組表サービスサーバの負担が少なく、かつ、放送番組表サービスの内容を充実させることができる。
【図面の簡単な説明】
【図１】本発明の再放送番組録画予約システムを適用可能なネットワーク構成の一実施例を示す図である。
【図２】携帯電話の構成例を示すブロック図である。
【図３】携帯電話の正面外観図である。
【図４】携帯電話での画面表示の一実施例を示す図である。
【図５】サービスセンタに備えられている装置（サーバ及びデータベース）の一実施例の構成を示す図である。
【図６】サーバに保持される再放送番組レコードの一実施例を示す図である。
【図７】サーバに保持される録画予約レコードの一実施例を示す図である。
【図８】再放送番組録画予約サービスにより再放送番組の録画予約設定を行う録画装置の構成例を示すブロック図である。
【図９】再放送番組録画予約サービス時の携帯電話及びサービスセンタのサーバの動作例を示すフローチャートである。
【符号の説明】
１  携帯電話（携帯電話、携帯端末）
４  ＴＶ放送局（番組提供者）
６  インターネット（ネットワーク）
１１  アンテナ（番組識別情報送信手段、録画予約指示情報送信手段）
１２  送受信部（番組識別情報送信手段、録画予約指示情報送信手段）
１４  キー入力部（録画時間入力手段）
１５  表示部（再放送番組表示手段）
３１  番組表サービスサーバ
３２  番組表データベース（メモリ）
３６  番組配信サーバ（サーバ）
３７  配信番組データベース（メモリ）
４３  放送番組表（番組表）
５１  録画装置
８０  録画予約レコード（録画予約情報）
１００  ネットワークシステム（再放送番組録画予約システム）
１４２  カーソル操作部（見逃し番組指定手段）
１４３  確定ボタン、録画予約ボタンに対応する操作ボタン（録画予約手段）
４４１  録画時間入力欄（録画時間入力手段）
【図１】
2004200881.tif 000003
【図２】
2004200881.tif 000004
【図３】
2004200881.tif 000005
【図４】
2004200881.tif 000006
【図５】
2004200881.tif 000007
【図６】
2004200881.tif 000008
【図７】
2004200881.tif 000009
【図８】
2004200881.tif 000010
【図９】
2004200881.tif 000011